(57)【要約】      （修正有）【課題】一定量吐出させる定量吐出容器として、容器の底を一回押すだけで内容物を定量吐出させることができ、しかも、容器の容量に比べ機構部を小さくし、容量を増やすことができる定量吐出容器を提供すること。【解決手段】容器体Ｂと、中皿部材Ｃと、押上部材Ｄと、操作部材Ｅとからなる定量吐出容器であって、容器体Ｂは、上筒体Ｂ１と下筒体Ｂ２とからなり、押上部材Ｄは、基体Ｄ１と、基体Ｄ１に回転可能に装着される回転体Ｄ２と、上昇体Ｄ３とからなり、操作部材Ｅは、押上げ体Ｅ１と、軸体Ｅ２とからなり、軸体の底板には、押上部材Ｄの回転体Ｄ２の鋸歯列４３と係合するラチェット６７が形成されていること。【選択図】図１
2008162636.tif 000002
【特許請求の範囲】
【請求項１】
容器体と、中皿部材と、押上部材と、操作部材とからなる定量吐出容器であって、
容器体は、上筒体と下筒体とからなり、
上筒体は、吐出筒を設けた上壁と、下端外周に下筒体が嵌合する筒体とを具え、
中皿部材は、頂壁と、頂壁下面に垂設され押上部材が係合する内筒と、摺動板を連設した外筒とを具え、
押上部材は、上筒体の下部内周に嵌合される基体と、基体に回転可能に装着される回転体と、上昇体とからなり、
基体は、中央を開口した上板と、上板上面に立設され、内周が回転体および上昇体と係合する内上筒とを具え、
回転体は、中央を開口した上板と、上板内縁に立設された回転軸筒とを具え、
上板下面には、リング状につながる複数の傾斜面と垂直面とからなる鋸歯列が下方に向って突設されており、
上昇体は、頂壁と、内周が回転体の回転軸筒と係合し、外周が基体の内上筒内周と係合する内筒と、外周が中皿部材の内筒内周と係合する外筒とを具え、
操作部材は、押上げ体と、軸体とからなり、
押上げ体は、底壁と、外周が容器体の下筒体内周と係合する外筒とを具え、
軸体は、底板と、底板上面中央に立設され、押上部材の回転体の回転軸筒内周に挿入される軸部とを具え、
底板には、押上部材の回転体の鋸歯列と係合するラチェットが形成されていることを特徴とする定量吐出容器。
【請求項２】
中皿部材の内筒内周にねじ溝を配設し、
押上部材の回転体の回転軸筒外周に、上部がストッパー部となるように凹設されたねじ溝が配設され、
上昇体には、内筒内周上部に、回転体の回転軸筒のねじ溝と係合する係合突部を設け、外筒外周上部に、中皿部材の内筒内周のねじ溝と係合する係合突部を設けていることを特徴とする請求項１記載の定量吐出容器。
【請求項３】
押上部材の基体の内上筒内周に、下端から所定の高さまで上方に伸びる案内突条が配設され、
上昇体の内筒外周に、上端から所定の高さまで下方に伸びる案内突条が配設され、
互いの案内突条が係合させ、上昇体の回転を所定の高さまで規制することを特徴とする請求項１、２記載の定量吐出容器。
【請求項４】
押上部材の基体の上板上面に外上筒を立設し、
外上筒外周と中皿部材の外筒内周とに係合する回転止筒を装着し、中皿部材の回転を規制していることを特徴とする請求項１〜３記載の定量吐出容器。
【発明の詳細な説明】
【技術分野】
【０００１】
本発明は、化粧品、薬品、その他クリーム状、または粘性液状の内容物の定量吐出が可能な定量吐出容器に関するものである。
【背景技術】
【０００２】
内容物を排出口より一定量吐出する化粧品、薬品、その他クリーム状、または粘性液状の内容物の押出容器として、外筒（１）内に可撓伸縮性を有する内筒（１２）を収納し、該内筒（１２）の下部に、外方に突出するフック（１９）を具えた小径の底部材（１８）を配設するとともに、外筒（１）内面に鋸歯状の凹凸部（８）を設けた引き上げ杆（７）を上下動自在に装着した押出容器であって、引き上げ杆（７）を押下げたときに、鋸歯状の凹凸部（８）がフック（１９）を乗り越えて下降し、引き上げ杆（７）の押下げを解いたときに、フック（１９）に係合して引き上げ、内筒（１２）の容量を減少させて、内容物を吐出するようにした定量押出容器は、従来より知られている（例えば、特許文献１参照）。
【特許文献１】実公平３−４３１９１号公報
【発明の開示】
【発明が解決しようとする課題】
【０００３】
しかしながら、上記特許文献１記載の押出容器では、操作部材を押圧した時に内容物が排出されず、押圧をやめた時に内容物が排出されるので、使い勝手が悪いという問題があった。
また、内容物を容器内に収納するのに、容器の他に、内容物を収納する可撓伸縮性を有する内筒（１２）が必要となり、部材数が多くなり、さらに、内筒（１２）は、操作部材の操作の邪魔にならない寸法でしか形成できず、容器の大きさにに対して内容物の内容量が少なくなるという問題があった。
【０００４】
本発明は、上記問題を解決することを課題とし、一定量吐出させる定量吐出容器として、容器の底を一回押すだけで内容物を定量吐出させることができ、しかも、容器の容量に比べ機構部を小さくし、容量を増やすことができる定量吐出容器を提供することを目的とする。
【課題を解決するための手段】
【０００５】
本発明は、上記の問題を解決するため、定量吐出容器として、容器体と、中皿部材と、押上部材と、操作部材とからなる定量吐出容器であって、容器体は、上筒体と下筒体とからなり、上筒体は、吐出筒を設けた上壁と、下端外周に下筒体が嵌合する筒体とを具え、中皿部材は、頂壁と、頂壁下面に垂設され押上部材が係合する内筒と、摺動板を連設した外筒とを具え、押上部材は、上筒体の下部内周に嵌合される基体と、基体に回転可能に装着される回転体と、上昇体とからなり、基体は、中央を開口した上板と、上板上面に立設され、内周が回転体および上昇体と係合する内上筒とを具え、回転体は、中央を開口した上板と、上板内縁に立設された回転軸筒とを具え、上板下面には、リング状につながる複数の傾斜面と垂直面とからなる鋸歯列が下方に向って突設されており、上昇体は、頂壁と、内周が回転体の回転軸筒と係合し、外周が基体の内上筒内周と係合する内筒と、外周が中皿部材の内筒内周と係合する外筒とを具え、操作部材は、押上げ体と、軸体とからなり、押上げ体は、底壁と、外周が容器体の下筒体内周と係合する外筒とを具え、軸体は、底板と、底板上面中央に立設され、押上部材の回転体の回転軸筒内周に挿入される軸部とを具え、底板には、押上部材の回転体の鋸歯列と係合するラチェットが形成されていることを特徴とする構成を採用する。
【０００６】
中皿部材と押上げ部材の実施例として、中皿部材の内筒内周にねじ溝を配設し、押上部材の回転体の回転軸筒外周に、上部がストッパー部となるように凹設されたねじ溝が配設され、上昇体には、内筒内周上部に、回転体の回転軸筒のねじ溝と係合する係合突部を設け、外筒外周上部に、中皿部材の内筒内周のねじ溝と係合する係合突部を設けていることを特徴とする構成を採用する。
【０００７】
押上げ部材の実施例として、押上部材の基体の内上筒内周に、下端から所定の高さまで上方に伸びる案内突条が配設され、上昇体の内筒外周に、上端から所定の高さまで下方に伸びる案内突条が配設され、互いの案内突条が係合させ、上昇体の回転を所定の高さまで規制することを特徴とする構成を採用する。
【０００８】
回転止筒の実施例として、押上部材の基体の上板上面に外上筒を立設し、外上筒外周と中皿部材の外筒内周とに係合する回転止筒を装着し、中皿部材の回転を規制していることを特徴とする構成を採用する。
【発明の効果】
【０００９】
内容物の吐出にあたって、操作部材を押上げることによって、軸体のラチェットの先端が押上部材の回転体の鋸歯列と係合して回転体を回転させ、上昇体を介して中皿部材を容器体内で上方に摺動させ、一定量の内容物を吐出させることができる。
【００１０】
操作部材の押上げ時に、操作部材のラチェットと押上部材の回転体との係合により操作されるので、操作部材から手を離すと、係合が外れ、押圧部材は、その時点の形状を維持するとともに、中皿部材は、容器体の上筒に液密、かつ弾性的に嵌挿されているので、操作部材のみが復帰し、容器体内の内容物の収納部に空気を導入しないで次の操作に具えることができるようになった。
【００１１】
また、押上部材を多段方式にすることにより、容器の容量に対して、押上部材の占める割合を少なくすることができ、内容物の容量の割合を多くすることができる。
【発明を実施するための最良の形態】
【００１２】
次に、本発明の定量吐出容器について、図面を参照して説明する。
図１において、Ａはキャップ、Ｂは断面が円筒形の容器体、Ｃは容器体Ｂ内を摺動する中皿部材、Ｄは中皿部材Ｃを容器体Ｂ内で押上げる押上部材、Ｅは押上部材Ｄを容器体Ｂ内で操作する操作部材、Ｆはばね部材である。
【００１３】
図１、２に示すように、キャップＡは、頂壁１と側周壁２とからなり、頂壁１下面には栓体３が設けられ、側周壁２内周にはねじ４が設けられている。
【００１４】
容器体Ｂは、上筒体Ｂ１と下筒体Ｂ２とからなっている。
上筒体Ｂ１は、その上端に、外周にキャップＡを螺着するねじ５を設けた吐出筒６を中央に立設した上壁７と、上壁７外縁に垂設され、中皿部材Ｃが摺動する筒体８とを具えている。
本発明の容器の内容物は、上筒体Ｂ１内方と中皿部材Ｃの上面により形成される収納部ａに収納される。
【００１５】
筒体８下部には、外周に、下筒体Ｂ２が嵌合する縮径部９と、縮径部９外周に配設された膨出部１０が設けられ、筒体８下端部内周には、上方に廻り止めのための凹溝１１が設けられ、下方には、押上部材Ｄの基体を嵌合する嵌合部１２が設けられている。
【００１６】
下筒体Ｂ２は、内周上部が上筒体Ｂ１の縮径部９と嵌合するとともに、膨出部１０と嵌合する嵌合凹部１３を凹設した筒体１４からなっている。
筒体１４の内周下部には、操作部材Ｅと係合し、上下動を案内する案内部１５が設けられ、内周下端には操作部材Ｅが抜け落ちることを防止する係止部１６が設けられている。
【００１７】
中皿部材Ｃは、図１、３に示すように、頂壁２０と、頂壁２０下面の所定の位置に垂設される内筒２１と、頂壁２０外縁に垂設される外筒２２と、外筒２２の下端外周に設けられ、上筒体Ｂ１の筒体８内周を液密に摺動する摺動板２３とを具えている。
内筒２１の内周には、ねじ溝２４が螺設され、外筒２２の内周には、廻り止めのための突条２２ａと、押上部材Ｄの回転止筒を嵌合する嵌合部２５が設けられている。
【００１８】
押上部材Ｄは、図１、４に示すように、基体Ｄ１と、回転体Ｄ２と、上昇体Ｄ３と、第一回転止筒Ｄ４と、第二回転止筒Ｄ５とからなっている。
基体Ｄ１は、中央が開口した上板３０と、上板３０内縁に立設された内上筒３１と、上板３０上面の所定の位置に立設された外上筒３２と、上板３０下面の所定の位置に垂設された下筒３３と、上板３０外縁に垂設された側周筒３４とを具えている。
また、基体Ｄ１の下筒３３と側周筒３４との間に、ばね部材Ｆの上部が係合されるようになっている。
【００１９】
内上筒３１の内周には、下端から所定の高さまで上方に伸び、上昇体Ｄ３を案内する案内突条３５が配設され、案内突条３５の上端３５ａは、内上筒３１上端との間に一定の間隔３６が設けられている。
外上筒３２の外周には、上端部に第一回転止筒Ｄ４と係合する係合突部３７が配設されている。
【００２０】
下筒３３の内周下端には、回転体Ｄ２が抜け落ちることを防止する係止部３８が設けられている。
側周筒３４の外周面には、上筒体Ｂ１の筒体８下端部内周の凹溝１１に係合する突条３４ａと嵌合部１２と嵌合する嵌合部３９が設けられている。
【００２１】
回転体Ｄ２は、図４、５に示すように、中央を開口した上板４０と、上板４０内縁に立設された回転軸筒４１と、上板４０外縁に設けられ、基体Ｄ１の下筒３３内周、および係止部３８に、回転体Ｄ２を回転自在に係合する係合部４２とからなっている。
上板４０下面の所定の位置には、リング状につながる複数の傾斜面４３ａと垂直面４３ｂとからなる鋸歯列４３が、下方に向かって突設されている。
回転軸筒４１の外周には、上部を残してストッパー部４４ａとなるように螺設されたねじ溝４４が配設されている。
【００２２】
図１、４に示すように、上昇体Ｄ３は、頂壁４５と、頂壁４５内縁に垂設される内筒４６と、頂壁４５外縁に垂設される外筒４７とからなっている。
内筒４６の内周下端には、回転体Ｄ２のねじ溝４４に係合する係合突部４８が配設されている。
内筒４６の外周には、上端から所定の高さまで下方に伸び、基体Ｄ１の内上筒３１の案内突条３５を挟持係合して上昇体Ｄ３の回転を規制する一対の案内突条４９が配設され、案内突条４９の下端４９ａと内筒４６の下端との間には、一定の間隔５０が設けられている。
【００２３】
外筒４７の外周上部の所定の位置には、中皿部材Ｃの内筒２１のねじ溝２４と係合する係合突部５１が配設されている。
【００２４】
第一回転止筒Ｄ４の内周には、上端から下方に伸び、基体Ｄ１の外上筒３２の係合突部３７と係合し、第一回転止筒Ｄ４の上下動を案内するとともに、回転を規制する回転止５２が配設され、下端には、係合突部３７と係合し、第一回転止筒Ｄ４の上昇を規制するストッパー５３が設けられている。
第一回転止筒Ｄ４の外周上端には、第二回転止筒Ｄ５の内周に係合する係合突部５４が配設されている。
【００２５】
第二回転止筒Ｄ５の内周には、上端から下方に伸び、第一回転止筒Ｄ４の外周の係合突部５４と係合し、第二回転止筒Ｄ５の上下動を案内するとともに、回転を規制する回転止５５が配設され、下端には、係合突部５４と係合し、第二回転止筒Ｄ５の上昇を規制するストッパー５６が設けられている。
第二回転止筒Ｄ５の外周には、中皿部材Ｃの外筒２２内周の突条２２ａと係合する溝５７と、嵌合部２５と嵌合する嵌合部５８が配設されている。
【００２６】
操作部材Ｅは、図１、６に示すように、押上げ体Ｅ１と、軸体Ｅ２とを具えている。
押上げ体Ｅ１は、底壁６０と、底壁６０外縁に立設する外筒６１とからなっている。
また、押上げ体Ｅ１の外筒６１上端面に、ばね部材Ｆの下端部が係合するようになっている。
【００２７】
外筒６１の内周には、軸体Ｅ２を嵌合する嵌合部６２が設けられている。
外筒６１の外周には、容器体Ｂの下筒体Ｂ２の筒体１４の案内部１５と係合し、操作部材Ｅの上下動を案内するとともに、係止部１６の上面と係合し、下筒体Ｂ２から抜け落ちることを防止する係合部６３が配設されている。
【００２８】
軸体Ｅ２は、底板６４と、底板６４上面中央に立設され、上部外周が押上部材Ｄの回転体Ｄ２の回転軸筒４１内周に挿入される軸部６５と、底板６４外縁に立設され、押上げ体Ｅ１の嵌合部６２と嵌合する嵌合部６６とからなっている。
底板６４の所定の位置には、押上部材Ｄの回転体Ｄ２の鋸歯列４３と先端部６７ａが係合するラチェット６７が形成されている。
【００２９】
次に、本実施例の定量吐出容器の使用態様と、作用効果について説明する。
容器体ＢからキャップＡをはずし、操作部材Ｅの押上げ体Ｅ１の底壁６０を指などで押すと、図７（ａ）に示すように、軸体Ｅ２の底板６４のラチェット６７の先端部６７ａが、押上部材Ｄの回転体Ｄ２の鋸歯列４３に当接する。
さらに、操作部材Ｅを押すと、図７（ｂ）に示すように、ラチェット６７の先端部６７ａが鋸歯列４３のいずれかの傾斜面４３ａを滑り、垂直面４３ｂに当接するとともに、図７（ｃ）に示すように、ラチェット６７が下方に押さえられ、先端部６７ａが垂直面４３ｂを押し、押上部材Ｄ内で回転体Ｄ２を回転させる。
【００３０】
その際、基体Ｄ１の内上筒３１の案内突条３５と上昇体Ｄ３の内筒４６の案内突条４９との係合により上昇体Ｄ３は回転を阻止され、押上部材Ｄ内で回転体Ｄ２が回転すると、回転軸筒４１のねじ溝４４と上昇体Ｄ３の内筒４６の係合突部４８との係合により回転力が上昇力に変えられ、上昇体Ｄ３が上昇する。
上昇体Ｄ３が上昇することによって、上昇体Ｄ３が中皿部材Ｃの頂壁２０下面を押上げ、中皿部材Ｃを上筒体Ｂ１内で上方に摺動させ、容器体Ｂの上筒体Ｂ１内の内容物を吐出筒６の先端の開口より吐出させる。
【００３１】
押上げ体Ｅ１の押上げを止めると、軸体Ｅ２のラチェット６７が回転体Ｄ２の垂直面４３ｂを押すのを止め、回転体Ｄ２の回転が止まるとともに、上昇体Ｄ３、および中皿部材Ｃの上昇が止まり、内容物の吐出が止められる。
【００３２】
次いで、押上げ体Ｅ１から手指を離すと、ばね部材Ｆの反撥力により操作部材Ｅが元の位置まで自動的に押し戻される。
また、軸体Ｅ２のラチェット６７と回転体Ｄ２の垂直面４３ｂとの当接が外れ、ラチェット６７が元の形状に戻る。
【００３３】
軸体Ｅ２のラチェット６７と回転体Ｄ２の垂直面４３ｂとの当接が外れることで、回転体Ｄ２の回転が止まり、中皿部材Ｃの上方への摺動が止まり、その位置で上筒体Ｂ１内で係止されるので、収納部ａ内に外気が入るのを防止することができる。
さらに、大量に内容物を使用する際には、押上げ体Ｅ１の押し、戻しを繰り返して使用することができる。
【００３４】
押上げ体Ｅ１を押し、回転体Ｄ２を回転させ、上昇体Ｄ３を上昇させ続けると、図８に示すように、上昇体Ｄ３の内筒４６の係合突部４８が、回転体Ｄ２の回転軸筒４１のねじ溝４４のストッパー部４４ａに当接するとともに、基体Ｄ１の内上筒３１の案内突条３５と上昇体Ｄ３の内筒４６の案内突条４９との互いの係合が外れる。
【００３５】
基体Ｄ１の案内突条３５と上昇体Ｄ３の案内突条４９との係合が外れると、上昇体Ｄ３の回転を阻止しなくなるので、上昇体Ｄ３の係合突部４８と回転体Ｄ２の回転軸筒４１のねじ溝４４のストッパー部４４ａとの当接により、上昇体Ｄ３も回転体Ｄ２とともに回転することとなる。
【００３６】
その際、中皿部材Ｃは、基体Ｄ１の外上筒３２と中皿部材Ｃの外筒２２とを、第一回転止筒Ｄ４、および第二回転止筒Ｄ５を介して回転を阻止しながら上昇可能となっているので、上昇体Ｄ３が回転すると、上昇体Ｄ３の外筒４７の係合突部５１と中皿部材Ｃの内筒２１のねじ溝２４との係合により回転力が上昇力に変えられ、中皿部材Ｃが上筒体Ｂ１内で上方に摺動する。
【００３７】
中皿部材Ｃを上筒体Ｂ１内で上方に摺動させることにより、内容物を容器体Ｂの吐出筒６の先端の開口より吐出させ、図９に示すように、内容物を、中皿部材Ｃの頂壁２０上面が上筒体Ｂ１の上壁７下面に当接するまで吐出させることができる。
【００３８】
本発明の定量吐出容器は、操作部材Ｅの押上げ体Ｅ１の底面を手指などで押すことにより、軸体Ｅ２の底板６４のラチェット６７の先端部６７ａが押上部材Ｄの回転体Ｄ２の鋸歯列４３のいずれかの鋸歯の垂直面４３ｂに当接し、押上部材Ｄ内で回転体Ｄ２を回転させ、中皿部材Ｃを上方に摺動させるので、ラチェット６７の立設する角度、および鋸歯列４３の歯数を増減して形成することにより、操作部材Ｅの一回の押し込みに対する内容物の吐出量を増減することができる。
【００３９】
上記実施例では、容器の断面が円形であったが、別実施例として、図１０に示すように、断面を楕円形としてもよい。
楕円形とすると、形状により中皿部材Ｃの回転が阻止されるので、前記実施例で中皿部材Ｃの回転を防止するために必要であった押上部材Ｄの基体Ｄ１の外上筒３２と、第一回転止筒Ｄ４と、第二回転止筒Ｄ５を設ける必要がなくなり、容器を構成する部品数を少なくすることができる。
また、中皿部材Ｃ自体に回転を阻止する構造を設けるなどで、容器を構成する部品数を少なくすることもできる。
【００４０】
前記実施例では、押上部材Ｄの回転体Ｄ２、および中皿部材Ｃにねじ溝を設け、上昇体Ｄ３の内筒４６、および外筒４７にねじ溝に係合する係合突部を設けたが、回転体Ｄ２の回転とともに上昇体Ｄ３が上昇または回転することができればよいので、上昇体Ｄ３の内筒４６、および外筒４７にねじ溝を設け、回転体Ｄ２、および中皿部材Ｃに係合する係合突部を設けてもよい。
【００４１】
前記実施例では、押上部材Ｄに上昇体Ｄ３を設けたが、上昇体Ｄ３をなくし、回転体Ｄ２の回転により中皿部材Ｃが直接上方に摺動するようにしてもよい。
また、上昇体Ｄ３を多段方式に複数配設し、それぞれにねじ溝、およびそれに係合する係合突条を設けて、上昇した後、回転するようにし、それにともない押上部材Ｄの回転止筒も多段方式に複数配設することにより、押上部材Ｄの高さを小さく形成することができるので、押上部材Ｄの上昇体Ｄ３の数や形状、回転止筒の数は、前記実施例に限定されない。
【産業上の利用可能性】
【００４２】
本発明は、一定量吐出させる定量吐出容器として、容器底部の操作部材を押すだけで、容器内の回転体を回転させ、中皿部材を上昇させ、一定量吐出させることができ、しかも、容器の容量に比べ押上部材の占める高さを少なくすることができる定量吐出容器としての広く利用できるようになった。
【図面の簡単な説明】
【００４３】
【図１】本発明定量吐出容器の一部断面立面図である。
【図２】キャップと容器体の説明図である。
【図３】中皿部材の説明図である。
【図４】押上部材の説明図である。
【図５】回転体の説明図で、（ａ）は一部断面図、（ｂ）は下面図である。
【図６】操作部材の説明図で、（ａ）は上面図、（ｂ）は一部断面立面図である。
【図７】回転体の鋸歯列と軸体のラチェットの作動説明図で、（ａ）は操作部材の押し上げ初期、（ｂ）はラチェット先端と櫛歯リングの垂直面との当接時、（ｃ）はラチェットが回転体を回転させた時の説明図である。
【図８】容器内の内容物使用中の押上部材の上昇体の作動説明図である。
【図９】容器内の内容物を注出したときの押上部材の作動説明図である。
【図１０】別実施例の定量吐出容器の説明図で、（ａ）は一部断面立面図、（ｂ）はＡ−Ａ線断面上面図である。
【符号の説明】
【００４４】
Ａ            キャップ
Ｂ            容器体    
Ｂ１          上筒体
Ｂ２          下筒体
Ｃ            中皿部材
Ｄ            押上部材
Ｄ１          基体
Ｄ２          回転体
Ｄ３          上昇体
Ｄ４          第一回転止筒
Ｄ５          第二回転止筒
Ｅ            操作部材
Ｅ１          押上げ体
Ｅ２          軸体
Ｆ            ばね部材
ａ            収納部
１、２０、４５  頂壁
２            側周壁
３            栓体
４、５        ねじ
６            吐出筒
７            上壁
８、１４      筒体
９            縮径部
１０          膨出部
１１          凹溝
１２、２５、３９、５８、６２、６６  嵌合部
１３          嵌合凹部
１４          筒体
１５          案内部
１６、３８    係止部
２１、４６    内筒
２２、４７、６１  外筒
２２ａ        突条
２３          摺動板
２４、４４    ねじ溝
３０、４０    上板
３１          内上筒
３２          外上筒
３３          下筒  
３４          側周筒
３５、４９    案内突条
３５ａ        上端
３６、５０    間隔
３７、４８、５１、５４  係合突部
４１          回転軸筒
４２、６３    係合部
４３          鋸歯列
４３ａ        傾斜面
４３ｂ        垂直面
４４ａ        ストッパー部
４９ａ        下端
５２、５５    回転止部
５３、５６    ストッパー
５７          溝
６０          底壁
６４          底板
６５          軸部
６７          ラチェット
６７ａ        先端部
【図１】
2008162636.tif 000003
【図２】
2008162636.tif 000004
【図３】
2008162636.tif 000005
【図４】
2008162636.tif 000006
【図５】
2008162636.tif 000007
【図６】
2008162636.tif 000008
【図７】
2008162636.tif 000009
【図８】
2008162636.tif 000010
【図９】
2008162636.tif 000011
【図１０】
2008162636.tif 000012